(57)【要約】【課題】  本発明の目的は、取付け対象となる物の厚みの大小にも影響されず、取付作業を容易且つ迅速に行うことができ、使い勝手の良いゴルフマーカー保持具を提供すること。【解決手段】  ゴルフマーカーを磁着保持するホルダー体１と、該ホルダー体１との間に挟持体５を挟み込むために該ホルダー体１に弾圧的に回動可能に設けられたクリップ体２と、を有するゴルフマーカー保持具。  クリップ体２は一対の側壁２１を有し、該側壁２１にホルダー体に形成された外側に突出する突起部１１Ａを係合させることでクリップ体２はホルダー体に支持され、ホルダー体の内側に突出する突起部１１Ａには、バネ体３が取り付けられている。【選択図】図７
2006187354.tif 000002
【特許請求の範囲】
【請求項１】
ゴルフマーカーを磁着保持するホルダー体と、
該ホルダー体との間に挟持体を挟み込むために該ホルダー体に弾圧的に回動可能に設けられたクリップ体と、
を有することを特徴とするゴルフマーカー保持具。
【請求項２】
前記クリップ体は、バネ体により弾圧的に回動可能にされていることを特徴とする請求項１に記載のゴルフマーカー保持具。
【請求項３】
前記クリップ体は一対の側壁を有し、
該側壁に前記ホルダー体に形成された外側に突出する突起部を係合させることで前記クリップ体は前記ホルダー体に支持され、
前記ホルダー体の内側に突出する突起部には、前記バネ体が取り付けられていることを特徴とする請求項２に記載のゴルフマーカー保持具。
【請求項４】
前記クリップ体は一対の側壁を有し、
前記挟持体を集中的に押さえるために前記側壁に波形部が形成されていることを特徴とする請求項１に記載のゴルフマーカー保持具。
【請求項５】
前記ホルダー体は、一定の間隔を隔ててＵ字状に折り返した延出部を有し、
該延出部に前記クリップ体が回動可能に設けられていることを特徴とする請求項１に記載のゴルフマーカー保持具。
【請求項６】
前記ホルダー体には凹部が形成され、
該凹部にマグネットが装着され、
該マグネットと前記ホルダー体との表面が面一となっていることを特徴とする請求項１に記載のゴルフマーカー保持具。
【請求項７】
前記マグネットと前記クリップ体との表面に装飾薄板が貼着されていることを特徴とする請求項６に記載のゴルフマーカー保持具。
【請求項８】
前記ゴルフマーカーをクリップ体に磁着させた場合に、該ゴルフマーカーは、該ゴルフマーカーの位置に関係なく該ゴルフマーカーとホルダー体とが重ならない領域が生じる大きさとされていることを特徴とする請求項１に記載のゴルフマーカー保持具。
【発明の詳細な説明】
【技術分野】
【０００１】
本発明は、グリーン上で使用されるゴルフマーカーを保持するためのゴルフマーカー保持具に関する。
より詳しくは、ホルダー体にマグネットを設け、このマグネットによりゴルフマーカーを磁着するタイプのゴルフマーカー保持具に関する。
【背景技術】
【０００２】
ゴルフにおいて、グリーン上で使用されるマーカーは、取上げた後、ポケット等に出し入れするのは極めて面倒である。
そのため、従来から、このようなゴルフマーカーを仮保持するためのゴルフマーカー保持具が提供されてきた。
例えば、磁石が埋設されたホルダーにゴルフマーカーを磁着させ、蝶タックを用いて衣類に取り付けるものが知られている。（例えば、特許文献１参照）。
衣類への取付方法としては、取付けピンと蝶タックを用いる方法の他、板材を折り返して挟持部を形成し、折返し部の弾性変形によるバネ力を利用してベルトに差し込む方法も知られている（例えば、特許文献２参照）。
【０００３】
【特許文献１】実用新案登録第３０７３３０６号公報  （図２、図３）
【特許文献２】実開平６−４４５６８号公報  （図３）
【発明の開示】
【発明が解決しようとする課題】
【０００４】
しかしながら、取付けピンと蝶タックを用いる方法では、ホルダーを衣類に取り付ける際、蝶タックとホルダーとを別々の手で摘む操作が必要であり面倒である。
しかも、取付けピンに蝶タックを刺し込むのが難しく、且つ取付けピンは尖っているために危険でもある。
一方、板材を折り返して挟持部を形成しベルトに差し込む方法では、衣類等の薄い布に挟み込むことができず、結局、ホルダーの取付場所が厚みのあるベルト等に限定される。
しかも、マーカーのピンを挟着部のＵ字溝へ取り付ける必要があり、操作が迅速に行えない上、このＵ字溝にゴミ等が入ると厄介である。
以上のように、従来のゴルフ用マーカは、使い勝手の点で、必ずしも十分、満足できるものではなかった。
【０００５】
本発明は、かかる背景技術をもとになされたもので、上記の背景技術の問題点を克服するためになされたものである。
すなわち、本発明は、取付け対象となる物の厚みの大小にも影響されず、取付作業を容易且つ迅速に行うことができ、使い勝手の良いゴルフマーカー保持具を提供することを目的とする。
【課題を解決するための手段】
【０００６】
かくして、本発明者は、このような課題背景に対して鋭意研究を重ねた結果、ゴルフマーカーのホルダーにクリップ機構を形成することで、上記の問題点を解決することができることを見出し、この知見に基づいて本発明を完成させたものである。
【０００７】
すなわち、本発明は、（１）、ゴルフマーカーを磁着保持するホルダー体と、該ホルダー体との間に挟持体を挟み込むために該ホルダー体に弾圧的に回動可能に設けられたクリップ体と、を有するゴルフマーカー保持に存する。
【０００８】
すなわち、本発明は、（２）、前記クリップ体は、バネ体により弾圧的に回動可能にされている上記（１）に記載のゴルフマーカー保持具に存する。
【０００９】
すなわち、本発明は、（３）、前記クリップ体は一対の側壁を有し、該側壁に前記ホルダー体に形成された外側に突出する突起部を係合させることで前記クリップ体は前記ホルダー体に支持され、前記ホルダー体の内側に突出する突起部には、前記バネ体が取り付けられている上記（２）に記載のゴルフマーカー保持具に存する。
【００１０】
すなわち、本発明は、（４）、前記クリップ体は一対の側壁を有し、前記挟持体を集中的に押さえるために前記側壁に波形部が形成されている上記（１）に記載のゴルフマーカー保持具に存する。
【００１１】
すなわち、本発明は、（５）、前記ホルダー体は、一定の間隔を隔ててＵ字状に折り返した延出部を有し、該延出部に前記クリップ体が回動可能に設けられている上記（１）に記載のゴルフマーカー保持具に存する。
【００１２】
すなわち、本発明は、（６）、前記ホルダー体には凹部が形成され、該凹部にマグネットが装着され、該マグネットと前記ホルダー体との表面が面一となっている上記（１）に記載のゴルフマーカー保持具に存する。
【００１３】
すなわち、本発明は、（７）、前記マグネットと前記クリップ体との表面に装飾薄板が貼着されている上記（６）に記載のゴルフマーカー保持具に存する。
【００１４】
すなわち、本発明は、（８）、前記ゴルフマーカーをクリップ体に磁着させた場合に、該ゴルフマーカーは、該ゴルフマーカーの位置に関係なく該ゴルフマーカーとホルダー体とが重ならない領域が生じる大きさとされている上記（１）に記載のゴルフマーカー保持具に存する。
【００１５】
なお、本発明の目的に添ったものであれば、上記（１）から（８）を適宜組み合わせた構成も採用可能である。
【発明の効果】
【００１６】
本発明によれば、ゴルフマーカーを磁着保持するホルダー体と、該ホルダー体との間に挟持体を挟み込むために該ホルダー体に弾圧的に回動可能に設けられたクリップ体と、が設けられ、クリップ機構を構成するようにしたので、挟持体に容易にゴルフマーカー保持具を取り付けることができる。
取付作業もクリップ体を押圧した状態で衣類等に挟み込むだけなので、取付作業を迅速に行うことができ使い勝手が良い。
特に、ホルダー体は、一定の間隔を隔ててＵ字状に折り返した延出部を形成し、該延出部にクリップ体を回動可能に設けることで、取付け対象となる挟持体の厚みの大小に影響されずに確実に取付けることができる。
【００１７】
また、ゴルフマーカーをクリップ体に磁着させた場合に、該ゴルフマーカーは、該ゴルフマーカーの位置に関係なく該ゴルフマーカーとホルダー体とが重ならない領域が生じる大きさとされていることで、ゴルフマーカーの摘まみ操作が簡単に行え、ホルダー体からの引き外しも容易である。
ゴルフマーカーをクリップ体に磁着させた場合、ゴルフマーカーは、該ゴルフマーカーの位置に関係なくゴルフマーカーとホルダー体とが重ならない領域が生じる大きさとされているために、摘んで引き外す場合にゴルフマーカーを移動させてホルダー体から簡単に突出させることができる。
クリップ体の長手方向に重ならない領域が生じる大きさとすることで、ゴルフマーカーを引き外する際も、ホルダー体自体が安定した状態である。
【発明を実施するための最良の形態】
【００１８】
以下、本発明を実施するための最良の形態を図面に基づいて説明する。
図１は本発明の一実施形態に係るゴルフマーカー保持具の裏面側を斜視的に示している。
この実施形態のゴルフマーカー保持具Ａは、金属製の略長方形薄板状のホルダー体１を有し、該長方形薄板状のホルダー体１の長辺中央部には、Ｕ字状に折り返した細長い延出部１１が形成されている。
そのため、延出部１１の先端側は、ホルダー体表面から一定の間隔を隔てた位置となる。
この延出部１１の先端には、クリップ体２が回動可能に設けられている。
クリップ体２は、コイル状のバネ体３により弾圧的に回動可能にされ、ホルダー体１との間に挟持体５を挟み込むことができるようにされている。
【００１９】
図２は、図１のゴルフマーカー保持具の表面側を斜視的に示している。
図に示すゴルフマーカー４は、後述するようなマグネットＭによりホルダー体１に磁着保持されている。
【００２０】
図３（ａ）は、ゴルフマーカー保持具の幅方向中央の断面を示している。
図３（ｂ）は、図３（ａ）の断面を示している。
図に示すように、延出部１１の先端部の２箇所に、内側及び外側に突出する一対の突起部１１Ａが形成されている。
クリップ体２は一対の側壁２１を有し、該側壁２１に突起部１１Ａを係合させることでクリップ体２はホルダー体１に支持される。
一方、突起部１１Ａにはバネ体３が取り付けられる。
【００２１】
バネ体３の両端は、コイル中心から遠ざかる方向へ延出されている。
そして、バネ体３は、両端が相互に近接する方向へ圧縮された状態で取り付けられ、一端はホルダー体１の延出部１１に当接し、他端はクリップ体２の後端に当接している。
そのため、クリップ体２の先端はホルダー体１を押圧するように付勢される。
このような両端が延出されたバネ体３を用いることの利点は、上述したように突起部１１Ａと同軸上に設置すれば、突起部１１Ａにバネ体３を係止させるだけの簡易な構造で済む点にある。
【００２２】
そして、ホルダー体１の延出部１１の根元付近に人指し指の腹を当てがい、親指の先でクリップ体２の後端を押圧すると、クリップ体２は突起部１１Ａを中心に開くように回動する。
すると、ゴルフマーカー保持具は、図４に示すような状態に変化する。
【００２３】
図４（ａ）は、ゴルフマーカー保持具の幅方向中央の断面を示している。
図４（ｂ）は、図４（ａ）のｂ−ｂ線に沿う断面を示している。
これらの図に示すように、クリップ体２の後端を片方の手の指で強く摘むことで、バネ体３の両端は相互に間隔を縮められ、バネ体３に弾性力が蓄えられる。
この状態においてホルダー体１とクリップ体２との間に衣類等の挟持体５の端部を挿入し、指を外すことでゴルフマーカー保持具は、簡単に取り付けられる。
【００２４】
このようにクリップ体２は、突起部１１Ａに回動可能に設けられていることから、片方の手を使ってホルダー体１との間には衣類等の挟持体５を挟み込むことができる。
【００２５】
また、クリップ体２は長尺状に形成され、その幅方向端部側には一対の側壁２１が形成されている。
該側壁２１には、挟持体５を集中的に押さえるために波形部２１Ａが形成されている。
そのため、滑止めの役割を果たし、ゴルフマーカー保持具を衣類等の挟持体５に装着後に挟持体５が抜け落ちてしまうという心配がない。
また、後述するように、ホルダー体１からずらして突出したゴルフマーカーの部分を摘んで外方へ引いて取外す場合、クリップ体２の波形部２１Ａで挟持体５を集中的に押さえているために、ゴルフマーカー保持具までが外れることはない。
【００２６】
ところで、上述したバネ体３は、突起部１１Ａと同一軸上に設けられている。
コイル状のバネ体内に内側の突起部１１Ａが挿入されて支持されている。
このように、バネ体内に突起部１１Ａを挿入できるようにすると、バネ体３が安定した状態となる。
また、クリップ体２の側壁２１に前記ホルダー体１に形成された外側に突出する突起部１１Ａを係合させることで、クリップ体２はホルダー体１に支持される。
ホルダー体１の突起部１１Ａにより、バネ体３とクリップ体２とが同芯でホルダー体１に取付けられるためにクリップ体２の動きが安定化し、また取付け構造も簡単となる。
【００２７】
図５は、ホルダー体１のゴルフマーカー側の詳細を示している。
図に示しように、板状のホルダー体１の反クリップ体側には、円形状の凹部１２が形成されている。
この凹部１２には円盤状のマグネットＭが装着され、結果的に、後述する装飾薄板Ｎで押さえられて固定されるが、例えば接着剤等を使って直接固定してもよい。
ここでマグネットＭには、強力な磁性を有する磁石、例えば、希土類ネオジウム磁石、フェライト磁石又はラバーマグネット等を用いることができる。
【００２８】
マグネットＭとホルダー体１とは、それらの表面が面一となるようにされている（図３参照）。
また、マグネットＭが装着されている凹部１２の周辺には浅凹部１３が形成されおり、この浅凹部１３を埋めるように装飾薄板Ｎが貼着されている。
これで、マグネットＭは全く表面に露出するようなことがないが、更に装飾薄板Ｎによって、磁石本体に直接傷が付くようなことが防止される。
【００２９】
図６は、ゴルフマーカー４を示した図で、側面図（ａ）及び平面図（ｂ）を示す。
ゴルフマーカー４は、ホルダー体側のマグネットＭに磁着されるように、通常、金属が使用されており、表面には装飾模様が形成されている。
この図では、例えば、二等辺三角形状とその頂点側の輪環を描いた模様が示されており、ゴルフ場のグリーン上においた場合、三角形の頂点側が方向を表すものとなる。
この装飾模様は、色彩、刻印、装飾フイルム等により適宜付与することが可能である。
【００３０】
次に、具体的にゴルフマーカー４を使用する場合の操作を述べる。
図７に示すように（実際にはゴルフマーカー保持具は挟持体５に取付けられている状態であるが、図では、便宜的に把持体５に取付けられていない状態で示した）、人指し指の腹をクリップ体２に当てがって親指の指先でゴルフマーカー４を押してマグネットＭの上面に沿って外方にずらす。
因みに、本実施形態では、ゴルフマーカー４が引き外し易いように、ホルダー体１の形状をホルダー体１とゴルフマーカー４とが重ならない領域が必ず生じる形状にしている。
【００３１】
言い換えると、ゴルフマーカー４をクリップ体２に磁着させた場合に、ゴルフマーカー４は、その位置に関係なくゴルフマーカー４とホルダー体１とが重ならない領域が生じる形状及び大きさにされている。
特に、クリップ体の長手方向において重ならない領域が生じる形状及び大きさとすることがより好ましい。
【００３２】
ゴルフマーカー４をある程度ずらすと、ホルダー体からゴルフマーカー４が大きく突出するので、この突出した部分を指で摘んで引き外す。
これで、簡単にゴルフマーカー４をホルダー体から取り去ることができる。
その際、突出した部分を引き外す方向は、クリップ体２の長手方向と一致しており、その波形部が被服等の挟持体を集中的に押さえているために、ホルダー体１が左右に揺動するようなことはなく安定している。
以上の作業は片手で容易に行うことができて極めて便利である。
【００３３】
一方、ゴルフマーカー４をゴルフマーカー保持具に取り付けるには、ゴルフマーカー４をマグネットＭに近接させるだけ良い。
後は、近接させると磁気力が働いてゴルフマーカー４とマグネットＭとガ引き合い、当接した際は接触音を発するので、目視していなくても両者が接触したことが分かる。
それから、ゴルフマーカー４をマグネットＭ上でずらし適宜位置とする。
【００３４】
なお、ホルダー体１の形態とゴルフマーカー４の形態とは、種々の組み合わせが可能であることは勿論である。
例えば、図８（ａ）に示すように、ホルダー体１の形状を楕円とすることも可能であり、この場合も、ゴルフマーカー４をクリップ体の長手方向にずらすことでホルダー体１から大きく突出する。
また、図８（ｂ）に示すように、ホルダー体１の形状を２等辺三角形とすることも可能であり、この場合も、ゴルフマーカー４をクリップ体の長手方向にずらすことで、同様にホルダー体１から大きく突出する。
いずれも、重ならない領域がクリップ体の長手方向に存在するために、ゴルフマーカー４を引き外してもホルダー体１は安定したままである。
【００３５】
図９は、ゴルフマーカー保持具の使用状態を示している。
ゴルフマーカー保持具Ａは、厚みの大小を問わず挟み込むことで取付けが可能であり、被服等の挟持体５に対して任意の位置に取付けることができる。
例えば、対象となる把持体５が被服上衣の場合は、ゴルフプレーヤーの上衣の襟Ｘや袖口Ｙに取り付けて使用することができる。
また、ズボンの場合はそのベルトＺに、帽子の場合はその鍔部Ｗに取付けことも可能である。
クリップ体２が回動自在になっているので、凡そ衣類の端部であれば、その厚さにかかわらずゴルフマーカー保持具Ａを取り付けることができる。
【００３６】
上述した実施形態では、ゴルフマーカー４を磁着保持するホルダー体１と、該ホルダー体１との間に挟持体５を挟み込むために該ホルダー体１に弾圧的に回動可能に設けられたクリップ体２と、が設けられ、クリップ機構を構成するようにしたので、挟持体に容易にゴルフマーカー保持具を取り付けることができる。
取付作業もクリップ体を押圧した状態で衣類等に挟み込むだけなので、取付作業を迅速に行うことができ使い勝手が良い。
ホルダー体は、一定の間隔を隔ててＵ字状に折り返した延出部を形成し、該延出部にクリップ体を回動可能に設けることで、取付け対象となる挟持体の厚みの大小に影響されずに確実に取付けることができる。
【００３７】
更にまた、ゴルフマーカーをクリップ体に磁着させた場合に、該ゴルフマーカーは、該ゴルフマーカーの位置に関係なく該ゴルフマーカーとホルダー体とが重ならない領域が生じる大きさとされていることで、ゴルフマーカーの摘まみ操作が簡単に行え、ホルダー体からの引き外しも容易である。
クリップ体の長手方向に重ならない領域が生じる大きさとすることで、ゴルフマーカーを引き外する際も、ホルダー体自体が安定した状態である。
【００３８】
以上、本発明を説明してきたが、本発明は上述した実施形態にのみ限定されるものではなく、その本質を逸脱しない範囲で、他の種々の変形が可能であることはいうまでもない。
例えば、上述した実施形態では、クリップ体２を弾圧するためにコイル状のバネ体３を用いた例について説明したが、必ずしもコイル状に限定されることはなく、クリップ体２を付勢できるのであれば採用可能である。
【図面の簡単な説明】
【００３９】
【図１】図１は、本発明の一実施形態に係るゴルフマーカー保持具の裏面側を斜視的に示す説明図である。
【図２】図２は、図１のゴルフマーカー保持具の表面側を示す説明図である。
【図３】図３は、図１のゴルフマーカー保持具を示す断面図であり、（ａ）はゴルフマーカー保持具の幅方向中央の断面、（ｂ）は（ａ）の断面を示している。
【図４】図４は、図３のゴルフマーカー保持具のクリップ体を回動させた状態を示す説明図であり、（ａ）はゴルフマーカー保持具の幅方向中央の断面、（ｂ）は（ａ）のｂ−ｂ線に沿う断面を示している。
【図５】図５は、図１のゴルフマーカー保持具のマグネットの取付構造を示す説明図である。
【図６】図６は、ゴルフマーカーの詳細を示す説明図であり、（ａ）はその側面、（ｂ）はその表面を示している。
【図７】図７は、ゴルフマーカーを取り外す工程を示す説明図である。（ａ）は平面的に示しており、（ｂ）はゴルフマーカー保持具の幅方向中央の断面を示している。
【図８】図８は、本発明のゴルフマーカー保持具の変形例を示す説明図であり、（ａ）は楕円の形状をしたホルダー体、（ｂ）は二等辺三角形の形状をしたホルダー体を示している。
【図９】図９は、本発明のゴルフマーカー保持具の使用状態を示す説明図である。
【符号の説明】
【００４０】
１  ホルダー体
１１  延出部
１１Ａ  突起部
１２  凹部
１３  浅凹部
２  クリップ体
２１  側壁
２１Ａ  波形部
３  バネ体
４  ゴルフマーカー
５  挟持体
Ｘ  襟
Ｙ  袖口
Ｚ  ベルト
Ｗ  帽子の鍔
Ａ  ゴルフマーカー保持具
Ｍ  マグネット
Ｎ  装飾薄板
【図１】
2006187354.tif 000003
【図２】
2006187354.tif 000004
【図３】
2006187354.tif 000005
【図４】
2006187354.tif 000006
【図５】
2006187354.tif 000007
【図６】
2006187354.tif 000008
【図７】
2006187354.tif 000009
【図８】
2006187354.tif 000010
【図９】
2006187354.tif 000011